(57)【要約】【課題】商品コラムの修理やメンテナンス作業を複雑な構造を必要とせずに容易に行うことのできる自動販売機及びこれに用いる商品コラム引出用補助具を提供する。【解決手段】一対の引出レール１２を係止部材１１に取付けてなる引出用補助具１０を自動販売機本体１に取付けることにより、コラムレール６に支持されている商品コラム５をコラムレール６から引出レール１２に移動させながら自動販売機本体１の前方に引き出すようにしたので、商品コラム５の修理やメンテナンスを行う場合でも、商品コラム５を取外すことなく引出レール１２に吊り下げた状態で作業することができ、修理やメンテナンス作業を極めて容易に行うことができる。【選択図】図１１
2006072453.tif 000002
【特許請求の範囲】
【請求項１】
前面を開口した自動販売機本体と、自動販売機本体の前面を開閉する外扉と、自動販売機本体内に設けられた商品収納庫と、商品収納庫内に配置された商品コラムとを備え、商品収納庫内の上面には商品コラムを吊り下げるコラムレールを設け、商品コラムをコラムレールによって前後方向に移動自在に支持するようにした自動販売機において、
前記コラムレールの前端側に、商品コラムを前後方向に移動自在に支持可能な引出レールをコラムレールと連続するように取付可能に構成した
ことを特徴とする自動販売機。
【請求項２】
前記コラムレールの前端側に配置される端部レールをネジによって自動販売機本体に着脱自在に取付けるとともに、
端部レールを自動販売機本体から取外して端部レール固定用のネジにより引出レールを自動販売機本体に固定可能に構成した
ことを特徴とする請求項１記載の自動販売機。
【請求項３】
前記商品コラムを左右一対のコラムレールによって支持するとともに、
端部レールを商品コラムの幅方向に延びる部材によって形成し、その幅方向両端には左右一対のコラムレールにそれぞれ対応するレール部を一体に設けた
ことを特徴とする請求項２記載の自動販売機。
【請求項４】
自動販売機本体内に設けた商品収納庫内の上面に商品コラムを吊り下げるコラムレールを設け、商品コラムをコラムレールによって前後方向に移動自在に支持した自動販売機に用いられる商品コラム引出用補助具であって、
前記商品コラムを前後方向に移動自在に支持可能な引出レールを備え、
引出レールをコラムレールの前端側にコラムレールと連続するように取付可能に形成した
ことを特徴とする自動販売機の商品コラム引出用補助具。
【請求項５】
前記コラムレールの前端側に着脱自在に取付けられた端部レールを自動販売機本体から取外すと、端部レール固定用のネジによって引出レールを自動販売機本体に固定可能に構成した
ことを特徴とする請求項４記載の自動販売機の商品コラム引出用補助具。
【請求項６】
前記自動販売機本体の上面前端側に係止する係止部材を備え、
係止部材に引出レールを取付けた
ことを特徴とする請求項４または５記載の自動販売機の商品コラム引出用補助具。
【請求項７】
前記引出レールを補強する補強部材を備えた
ことを特徴とする請求項４、５または６記載の自動販売機の商品コラム引出用補助具。
【請求項８】
前記補強部材の一端側に、引出レールを自動販売機本体に固定するとコラムレールの前端よりも後方に延出する延出部を設けた
ことを特徴とする請求項７記載の自動販売機の商品コラム引出用補助具。
【請求項９】
前記係止部材に左右一対の引出レールを取付けるとともに、少なくとも一方の引出レールを幅方向に移動可能に設けた
ことを特徴とする請求項４、５、６、７または８記載の自動販売機の商品コラム引出用補助具。
【発明の詳細な説明】
【技術分野】
【０００１】
本発明は、例えば缶、ビンまたはペットボトル入り飲料等の商品を販売する自動販売機及びこれに用いる商品コラム引出用補助具に関するものである。
【背景技術】
【０００２】
従来、この種の自動販売機としては、自動販売機本体の前面を開閉する外扉と、自動販売機本体内に設けられた商品収納庫と、商品収納庫内に配置された商品コラムとを備え、商品収納庫内の上面には商品コラムを吊り下げるコラムレールを設け、商品コラムをコラムレールによって前後方向に移動自在に支持するようにしたものが知られている（例えば、特許文献１参照。）。
【特許文献１】特開２００３−１３２４１４号公報
【発明の開示】
【発明が解決しようとする課題】
【０００３】
ところで、前記自動販売機においては、商品コラム内の商品詰まりや商品搬出機構の故障など、商品コラムの修理やメンテナンスが必要となった場合には、商品コラムを自動販売機本体の前方に引き出すとともに、外部に取出して作業する場合がある。しかしながら、商品収納庫内には複数の商品コラムが前後方向に配置されているため、例えば後列側の商品コラムを取出す場合は前列側の商品コラムも取出さなければならず、しかも商品コラム内に商品が収納されている場合は商品コラムから商品を取出す必要もあり、修理やメンテナンス作業に多大な労力と時間を要するという問題点があった。また、コラムレールにスライド機構を設けたものもあるが、このようなスライド機構を各コラム列ごとに設ける場合には、構造が複雑になり、製造コストを増大させるという問題点があった。
【０００４】
本発明は前記問題点に鑑みてなされたものであり、その目的とするところは、商品コラムの修理やメンテナンス作業を複雑な構造を必要とせずに容易に行うことのできる自動販売機及びこれに用いる商品コラム引出用補助具を提供することにある。
【課題を解決するための手段】
【０００５】
本発明は前記目的を達成するために、前面を開口した自動販売機本体と、自動販売機本体の前面を開閉する外扉と、自動販売機本体内に設けられた商品収納庫と、商品収納庫内に配置された商品コラムとを備え、商品収納庫内の上面には商品コラムを吊り下げるコラムレールを設け、商品コラムをコラムレールによって前後方向に移動自在に支持するようにした自動販売機において、前記コラムレールの前端側に、商品コラムを前後方向に移動自在に支持可能な引出レールをコラムレールと連続するように取付可能に構成している。
【０００６】
これにより、商品コラムの修理やメンテナンス作業を行う際、コラムレールの前端側に引出レールを取付けると、引出レールがコラムレールと連続するように取付けられることから、コラムレールに支持されている商品コラムをコラムレールから引出レールに移動させることにより、商品コラムを自動販売機本体の外部まで引き出した状態で作業することができる。
【０００７】
また、本発明は前記目的を達成するために、自動販売機本体内に設けた商品収納庫内の上面に商品コラムを吊り下げるコラムレールを設け、商品コラムをコラムレールによって前後方向に移動自在に支持した自動販売機に用いられる商品コラム引出用補助具であって、前記商品コラムを前後方向に移動自在に支持可能な引出レールを備え、引出レールをコラムレールの前端側にコラムレールと連続するように取付可能に形成した商品コラム引出用補助具を構成している。
【０００８】
これにより、商品コラムの修理やメンテナンス作業を行う際、コラムレールの前端側に引出レールを取付けると、引出レールがコラムレールと連続するように取付けられることから、コラムレールに支持されている商品コラムをコラムレールから引出レールに移動させることにより、商品コラムを自動販売機本体の外部まで引き出した状態で作業することができる。
【発明の効果】
【０００９】
本発明によれば、商品コラムを自動販売機本体の外部まで引き出した状態で作業することができるので、商品コラムの修理やメンテナンスを行う場合でも、商品コラムを取外すことなく作業することができ、修理やメンテナンス作業を極めて容易に行うことができる。また、例えばコラムレールごとに複雑なスライド機構を設ける場合に比べて構造を簡素化することができるので、製造コストを増加させることがないという利点がある。
【発明を実施するための最良の形態】
【００１０】
図１乃至図１１は本発明の一実施形態を示すもので、図１は自動販売機の全体斜視図、図２は外扉を開放した自動販売機の全体斜視図、図３は自動販売機の側面断面図、図４はコラムレールの前端側斜視図、図５は商品コラム及びコラムレールの要部正面断面図、図６は商品コラム引出用補助具の斜視図、図７はその一部断面平面図、図８は端部レールを取外した状態を示すコラムレールの前端側斜視図、図９は商品コラム引出用補助具を取付けた状態を示すコラムレールの前端側斜視図、図１０は商品コラム引出用補助具を取付けた状態を示す自動販売機の側面断面図、図１１は商品コラムを引出した状態を示す自動販売機の側面断面図である。
【００１１】
この自動販売機は、前面を開口した自動販売機本体１と、自動販売機本体１の前面を開閉する外扉２と、自動販売機本体１内に設けられた商品収納庫３と、商品収納庫３の前面を開閉する断熱性の内扉４と、商品収納庫３内に配置された複数の商品コラム５とを備え、各商品コラム５は前後方向に延びるコラムレール６によって商品収納庫３内の上面に吊り下げられている。
【００１２】
自動販売機本体１は商品収納庫３を囲む断熱壁１ａを有し、その下部には図示しない冷凍機器や電装ユニット等を収容する機械室１ｂが設けられている。
【００１３】
外扉２は幅方向一端側を自動販売機本体１に回動自在に支持され、その前面には商品サンプル２ａ、商品選択スイッチ２ｂ、硬貨投入口２ｃ、紙幣投入口２ｄ、硬貨返却口２ｅ及び商品取出口２ｆが設けられている。
【００１４】
商品収納庫３は前面を開口するとともに、庫内下面側には前下りに傾斜したシュート板３ａが設けられている。シュート板３ａの下方には、機械室１ｃ内の図示しない冷凍機器に接続された冷却器３ｂと、冷却器３ｂの後方に配置された送風機３ｃが設けられ、冷却器３ｂによって冷却した空気を送風機３ｃによって庫内に循環するようになっている。
【００１５】
内扉４は幅方向一端側を自動販売機本体１に回動自在に支持され、その下部には複数の商品搬出口４ａが設けられている。
【００１６】
各商品コラム５は、いわゆるサーペンタイン式の周知の商品収納装置からなり、商品収納庫３内に幅方向及び前後方向に複数ずつ設けられている。即ち、各商品コラム５は、上端側の商品投入口５ａから投入された商品Ａを蛇行状の商品通路５ｂ内に上下方向に積み重ねて収納し、その下端側の商品搬出機構５ｃによって下方の商品Ａから順に一つずつ落下搬出するようになっている。また、商品コラム５の左右側板５ｄの上端にはそれぞれコラムレール６に係合する係合部５ｅが設けられ、各係合部５ｅは鉤状に屈曲している。
【００１７】
コラムレール６は商品収納庫３内の上面に取付けられ、商品コラム５の各係合部５ｅに対応するようにコラム列ごとに幅方向一対ずつ設けられている。コラムレール６の下端側には商品コラム５の係合部５ｅを前後方向に移動自在に係合するレール部６ａが設けられ、レール部６ａは係合部５ｅに対応するように鉤状に屈曲している。コラムレール６の前端側には左右一対のコラムレール６に対応する端部レール７が設けられ、端部レール７は幅方向に延びる板状の部材からなる。端部レール７の幅方向両端にはコラムレール６のレール部６ａと連続するように形成された一対のレール部７ａが設けられ、各レール部７ａの前端側には上方に突出するストッパ部７ｂが設けられている。商品収納庫３内の上面には幅方向に延びる補強部材８が設けられ、端部レール７は幅方向両端側を補強部材８にそれぞれネジ９によって固定されている。即ち、端部レール７の幅方向二箇所にはネジ９を挿通する孔７ｃが設けられ、補強部材８の対応箇所にはネジ９を螺合するネジ孔８ａが設けられている。
【００１８】
以上のように構成された自動販売機においては、一対のコラムレール６に商品コラム５の各係合部５ｅを前方から係合することにより、商品コラム５が一対のコラムレール６に吊り下げられる。その際、商品コラム５をコラムレール６のレール部６ａに沿って後方へ移動させることにより、一対のコラムレール６によって前後複数台の商品コラム５が支持される。また、商品コラム５をコラムレール６によって支持した後は、端部レール７のストッパ部７ｂによって商品コラム５の前方への移動が規制される。尚、商品コラム５の着脱に際しては、端部レール７を取外さなくとも、係合部５ｅがストッパ部７ｂを乗り越えるようにすれば、商品コラム５の着脱が可能である。
【００１９】
次に、前記自動販売機に用いる商品コラム引出用補助具１０（以下、引出用補助具１０という。）について説明する。
【００２０】
この引出用補助具１０は、自動販売機本体１の上面に係止する係止部材１１と、係止部材１１に取付けられた左右一対の引出レール１２と、各引出レール１２にそれぞれ取付けられた補強部材１３とから構成され、一方の引出レール１２は係止部材１１に幅方向に移動自在に設けられている。
【００２１】
係止部材１１は左右方向に延びる断面略コ字状の部材からなり、その内側に自動販売機本体１の上面側を挿入可能に形成されている。この場合、係止部材１１の上面側にはＬ字状に屈曲した係止片１１ａが設けられ、係止片１１ａの下端が自動販売機本体１の上面に係止するようになっている。また、係止部材１１の底面側には一方の引出レール１２を移動自在に係合するための長孔１１ｂが設けられ、長孔１１ｂは左右方向に延びるように形成されている。
【００２２】
各引出レール１２は前後方向に延びる断面略Ｌ字状の部材からなり、その幅方向一端側にはコラムレール６のレール部６ａと連続するように形成された一対のレール部１２ａが設けられている。各引出レール１２の一端側（自動販売機本体１側）の上面には端部レール固定用のネジ９を挿通可能な孔１２ｂが設けられ、孔１２ｂを挿通したネジ９によって引出レール１２を自動販売機本体１に固定可能になっている。各引出レール１２は一端側を複数のボルト１２ｃ及びナット１２ｄによって係止部材１１に固定されており、互いに幅方向に間隔をおいて平行に保持されている。この場合、一方の引出レール１２のボルト１２ｃは係合部材１１の長孔１１ｂに移動自在に挿入されるとともに、固定板１４を介してナット１２ｄが螺合しており、ボルト１２ｃ及びナット１２ｄを緩めることにより、一方の引出レール１２を長孔１１ｂに沿って幅方向任意の位置に移動可能になっている。尚、両方の引出レール１２を移動自在に設けるようにしてもよい。
【００２３】
各補強部材は引出レール１２に沿って前後方向に延びる断面略コ字状の部材からなり、それぞれ各引出レール１２の下面に溶接等によって固定されている。この場合、各補強部材の一端側には引出レール１２から所定長さだけ外部に延出する延出部１３ａが設けられている。
【００２４】
ここで、前記自動販売機において、商品コラム５内の商品詰まりや商品搬出機構５ｃの故障など、商品コラム５の修理やメンテナンスが必要となった場合には、商品コラム５を自動販売機本体１の前方に引き出して作業する。その際、商品コラム５の前方に引出用補助具１０を取付けることにより、引出用補助具１０によって商品コラム５が引き出される。
【００２５】
即ち、図８に示すように端部レール７のネジ９をネジ孔８ａから外して端部レール７を取外し、図１０に示すように引出用補助具１０を自動販売機本体１の前面上端側に取付ける。その際、引出用補助具１０の係止部材１１を自動販売機本体１の上面に係止するとともに、各引出レール１２の一端をそれぞれコラムレール６の前端に幅方向の位置が一致するように配置し、各引出レール１２を自動販売機本体１に固定する。その際、図９に示すように端部レール７を固定していた各ネジ９を各引出レール１２の孔１２ｂに挿入して自動販売機本体１側のネジ孔８ａに螺合することにより、各引出レール１２がコラムレール６と連続するように固定される。次に、図１１に示すようにコラムレール６に支持されている商品コラム５をコラムレール６から引出レール１２に移動させながら自動販売機本体１の前方に引き出すことにより、商品コラム５が引出用補助具１０によって自動販売機本体１の外部まで引き出されることから、商品コラム５を引出用補助具１０に吊り下げた状態で作業することができる。
【００２６】
このように、本実施形態によれば、商品コラム５を支持可能な引出レール１２を自動販売機本体１に取付けるとともに、引出レール１２をコラムレール６の前端と前後方向に連続するように配置し、コラムレール６に支持されている商品コラム５をコラムレール６から引出レール１２に移動させながら自動販売機本体１の前方に引き出すようにしたので、商品コラム５の修理やメンテナンスを行う場合でも、商品コラム５を取外すことなく引出レール１２に吊り下げた状態で作業することができ、修理やメンテナンス作業を極めて容易に行うことができる。この場合、一対の引出レール１２を係止部材１１に取付けてなる引出用補助具１０を必要に応じて自動販売機本体１に取付けて商品コラム５を引き出すようにしたので、例えばコラムレール６ごとに複雑なスライド機構を設ける場合に比べ、自動販売機側の構造を簡素化することができ、自動販売機の製造コストを増加させることがないという利点がある。更に、引出用補助具１０は、作業者が携帯したり、自動販売機本体１内に収納しておくことができるので、取扱いが極めて容易である。
【００２７】
また、コラムレール６の前端側に着脱自在に設けられた端部レール７を自動販売機本体１から取外し、端部レール固定用のネジ９によって引出用補助具１０の引出レール１２を自動販売機本体１に固定するようにしたので、引出レール１２を固定するための専用の部品を必要とせず、構造の簡素化を図ることができる。
【００２８】
この場合、端部レール７を商品コラム５の幅方向に延びる部材によって形成するとともに、その幅方向両端には左右一対のコラムレール６にそれぞれ対応するレール部７ａを一体に設けるようにしたので、端部レール７を一部品によって形成することがｄけいる。これにより、各コラムレール６に対応する複数の部品によって構成する場合に比べ、端部レール７の着脱作業を容易に行うことができるとともに、部品の紛失も少なくなり、しかも加工が容易になるため製造コストを低減することもできる。
【００２９】
更に、引出用補助具１０の引出レール１２を自動販売機本体１の上面に係止する係止部材１１に取付けたので、引出レール１２に加わる荷重を係止部材１１を介して自動販売機本体１の上面によって受けることができ、引出用補助具１０を自動販売機本体１に強固に取付けることができる。
【００３０】
また、引出用補助具１０に引出レール１２を補強する補強部材１３を設けたので、補強部材１３によって引出レール１２の強度を高めることができ、商品コラム５を確実に支持することができる。
【００３１】
この場合、補強部材１３の一端側にコラムレール６の前端よりも後方に延出する延出部１３ａを設けたので、引出レール１２側から自動販売機本体１に加わる荷重を延出部１３ａの長さ分だけ分散させることができ、集中荷重による自動販売機本体１側の変形を確実に防止することができる。
【００３２】
また、引出用補助具１０に左右一対の引出レール１２を設け、一方の引出レール１２を係止部材１１に幅方向に移動可能に取付けたので、各引出レール１２の間隔を商品コラム５の寸法に応じて任意に調整することができ、汎用性の向上を図ることができる。
【００３３】
尚、前記実施形態では、一対の引出レール１２を係止部材１１に取付けてなる引出用補助具１０を用いて商品コラム５を引き出すようにしたものを示したが、同様の引出レールを単体で自動販売機本体１に取付けて使用するようにしてもよい。
【図面の簡単な説明】
【００３４】
【図１】本発明の一実施形態を示す自動販売機の全体斜視図
【図２】外扉を開放した自動販売機の全体斜視図
【図３】自動販売機の側面断面図
【図４】コラムレールの前端側斜視図
【図５】商品コラム及びコラムレールの要部正面断面図
【図６】商品コラム引出用補助具の斜視図
【図７】商品コラム引出用補助具の一部断面平面図
【図８】端部レールを取外した状態を示すコラムレールの前端側斜視図
【図９】商品コラム引出用補助具を取付けた状態を示すコラムレールの前端側斜視図
【図１０】商品コラム引出用補助具を取付けた状態を示す自動販売機の側面断面図
【図１１】商品コラムを引出した状態を示す自動販売機の側面断面図
【符号の説明】
【００３５】
１…自動販売機本体、２…外扉、３…商品収納庫、５…商品コラム、６…コラムレール、７…端部レール、７ａ…レール部、９…ネジ、１０…商品コラム引出用補助具、１１…係止部材、１２…引出レール、１３…補強部材、１３ａ…延出部。
【図１】
2006072453.tif 000003
【図２】
2006072453.tif 000004
【図３】
2006072453.tif 000005
【図４】
2006072453.tif 000006
【図５】
2006072453.tif 000007
【図６】
2006072453.tif 000008
【図７】
2006072453.tif 000009
【図８】
2006072453.tif 000010
【図９】
2006072453.tif 000011
【図１０】
2006072453.tif 000012
【図１１】
2006072453.tif 000013